(57)【要約】  【課題】灯具から出射するグレア光などの散乱光を簡単かつ正確に測定できる散乱光検出装置を提供する。  【解決手段】車両用灯具Ｗの前方から少なくとも灯具Ｗの上方および側方を覆うように延在して、灯具Ｗの出射光が照射される照射スクリーン１０を備え、スクリーン１０を、灯具Ｗの光源を中心とする略球面状に形成し、その表面に灯具Ｗの光源を中心とする仮想球体Ａの緯度および経度に相当する鉛直方向および水平方向の角度目盛り１３ｖ，１３ｈを設けた。グレア光その他の全ての散乱光の配光パターンＰ１，Ｐ２，Ｐ３…が照射スクリーン１０に現れるので、散乱光の方向（位置）やその大きさを視覚的に認識でき、鉛直および水平方向角度目盛り１３ｖ，１３ｈから散乱光の方向（位置）やその大きさを正確に測定できる。【選択図】  図６
2006266693.tif 000002
【特許請求の範囲】
【請求項１】
被測定対象である車両用灯具の前方から少なくとも該灯具の上方および側方を覆うように延在して、該灯具の出射光が照射される照射スクリーンを備え、前記スクリーンは、前記灯具の光源を中心とする略球面状に形成されるとともに、その表面に前記灯具の光源を中心とする仮想球体の緯度および経度に相当する鉛直方向および水平方向の角度目盛りが設けられたことを特徴とする車両用灯具の散乱光検出装置。
【請求項２】
前記照射スクリーンの左右方向略中央部には、照度計を用いた灯具の配光特性測定に使用される開口部が設けられたことを特徴とする請求項１に記載の車両用灯具の散乱光検出装置。
【請求項３】
前記開口部には、係合して前記照射スクリーンの一部を構成する蓋が係脱着自在に設けられたことを特徴とする請求項２に記載の車両用灯具の散乱光検出装置。
【請求項４】
前記照射スクリーンは、前記灯具の後方にも廻り込むドーム型に形成されたことを特徴とする請求項１〜３のいずれかに記載の車両用灯具の散乱光検出装置。
【請求項５】
前記照射スクリーンは、上方の１/４球面領域に下方の半円筒面領域が連続する形状であって、人が立って中に入れる程度の大きさに形成されるとともに、該照射スクリーンの下側縁にはキャスターが設けられて、照射スクリーンを床に沿って移動できることを特徴とする請求項１〜３のいずれかに記載の車両用灯具の散乱光検出装置。
【請求項６】
請求項１に記載の散乱光検出装置を用いて被測定対象である車両用灯具から出る散乱光を検出する車両用灯具の散乱光検出方法であって、
前記照射スクリーンの角度目盛りに対しその光軸が所定位置となるように前記車両用灯具を配置するとともに、該灯具を点灯し、前記照射スクリーンに映し出された配光パターンから散乱光を検出することを特徴とする車両用灯具の散乱光検出方法。
【発明の詳細な説明】
【技術分野】
【０００１】
本発明は、車両用灯具から出射するグレア光などの散乱光を検出する車両用灯具の散乱光検出装置に関する。
【背景技術】
【０００２】
この種の装置としては、下記特許文献１に示すようなものが知られている。これは、図８に示すように、灯具１を支持する回転台２と、回転台２から所定距離（２５フィート）離間して配置されて灯具１の配光が照射される暗室スクリーン３と、暗室スクリーン３の中央部に形成された開口部４を介して灯具１と正対するように配置されて、灯具１の配光の照度を１０ｍ離れた位置から測定する照度計５を備えて構成されている。
【０００３】
そして、回転台２を駆動して灯具１を配光特性範囲内で移動（水平方向に回動し上下方向に傾動）させつつ、配光特性範囲全域における照度計５の測定値（灯具の配光の照度）に基づいて灯具の配光特性を求める。このとき、配光特性範囲の外側に照度値が大きい領域があれば、この照度値大の領域がグレア光位置と判別できる。
【０００４】
また、灯具１の照射光により暗室スクリーン３に灯具１の有効な配光パターンを映し出す際に、グレア光などの不要な散乱光があれば、散乱光の配光パターンも暗室スクリーン３に現れるので、グレア光などの不要な散乱光の位置を測定することができる。
【０００５】
しかし、灯具１の光軸に対し側方や上方に大きく傾斜して出射する散乱光については、照度計５を使った灯具の配光特性測定や暗室スクリーン３使用の測定では測定できないため、作業者が手で持った小型スクリーン（平板パネル）を灯具１の上方や側方にかざし、この小型スクリーン（平板パネル）に現れる散乱光の配光パターンからこれらの散乱光の方向（位置）やその経路を測定している。
【特許文献１】特許第２８０８２２１号（図１）
【発明の開示】
【発明が解決しようとする課題】
【０００６】
しかし、灯具１の光軸に対し側方や上方に大きく傾斜して出射する散乱光を測定するに際し、作業者が手で持った小型スクリーン（平板パネル）を灯具１の上方や側方にかざすという従来の方法では、非常に面倒で、見落としが発生するおそれがある上に、散乱光の方向（位置）を正確に測定できるものではない。
【０００７】
また、ユーザや自動車メーカーからも、停車中に壁に光のかたまりが映るとか、トンネル走行中に壁に映った光がお化けのようについてくるなどの、灯具の散乱光が原因と思われる苦情が寄せられている。さらに、北米や欧州では、上方グレア光に対する法規は厳格に規定されており、グレア光の発生位置，発生経路，光度値等については、十分なデータを収集する必要がある。
【０００８】
本発明は、前記従来技術の問題点に鑑みてなされたもので、その目的は、車両用灯具から出射するグレア光などの散乱光を簡単かつ正確に測定できる車両用灯具の散乱光検出装置を提供することにある。
【課題を解決するための手段】
【０００９】
前記目的を達成するために、請求項１に係る車両用灯具の散乱光検出装置においては、被測定対象である車両用灯具の前方から少なくとも該灯具の上方および側方を覆うように延在して、該灯具の出射光が照射される照射スクリーンを備え、前記スクリーンを、前記灯具の光源を中心とする略球面状に形成するとともに、その表面に前記灯具の光源を中心とする仮想球体の緯度および経度に相当する鉛直方向および水平方向の角度目盛りを設けるように構成した。
【００１０】
また、請求項６に係る車両用灯具の散乱光検出方法においては、請求項１に記載の散乱光検出装置を用いて被測定対象である車両用灯具から出る散乱光を検出する方法であって、前記照射スクリーンの角度目盛りに対しその光軸が所定位置となるように前記車両用灯具を配置するとともに、該灯具を点灯し、前記照射スクリーンに映し出された配光パターンから散乱光を検出するように構成した。
【００１１】
（作用）照射スクリーンに車両用灯具を正対させるとともに、照射スクリーン（の球面）を構成する仮想球体の中心に光源が一致するように車両用灯具を配置し点灯すると、照射スクリーンにおける灯具正対領域には、灯具からの出射光によって、灯具の配光として有効な所定の配光パターンが形成される。同時に、灯具の配光として有効に機能しないグレア光その他の散乱光も灯具から出射している場合は、この散乱光の配光パターンも照射スクリーンに形成される。即ち、照射スクリーンは、灯具の前方のみならず灯具の上方および側方を覆うように延在しているので、灯具の上方や側方に出射する全ての散乱光の配光パターンが照射スクリーンに確実に形成される（映し出される）。
【００１２】
このため、例えば、車両用灯具の光軸を照射スクリーンに設けられている鉛直方向角度目盛りおよび水平方向角度目盛りの基準点（角度０の位置）に一致させておく等、予め車両用灯具の光軸を照射スクリーンに設けられている鉛直方向角度目盛りおよび水平方向角度目盛りに対応させておくことで、照射スクリーンに形成されている（映っている）散乱光の配光パターンから、散乱光の方向（位置）やそのパターンの大きさを視覚的に認識できるとともに、照射スクリーンに設けられている鉛直方向角度目盛りおよび水平方向角度目盛りから、散乱光の方向（位置）やそのパターンの大きさを正確に測定できる。
【００１３】
請求項２においては、請求項１に記載の車両用灯具の散乱光検出装置において、前記照射スクリーンの左右方向略中央部に、照度計を用いた灯具の配光特性測定に使用される開口部を設けるように構成した。
【００１４】
なお、照射スクリーンに設けた開口部の大きさは、開口部を挟んで灯具と正対するように配置した照度計によって、灯具を配光特性範囲で移動（水平方向に回動および上下方向に揺動）して灯具の配光特性範囲全域における照度を測定できる（灯具の配光特性を測定できる）に足りる大きさに形成されている。
【００１５】
（作用）回転台で支持した車両用灯具に対し照射スクリーンの開口部を挟んで照度計を所定距離（一般には１０ｍ）離して配置し、回転台を駆動して車両用灯具を配光特性範囲内で移動（水平方向に回動および上下方向に揺動）しつつ、照度計の測定値（照度）に基づいて灯具の配光特性を測定する従来公知（特許第２８０８２２１号参照）の照度測定（配光測定）を行うことができる。
【００１６】
請求項３においては、請求項２に記載の車両用灯具の散乱光検出装置において、前記開口部には、係合して前記照射スクリーンの一部を構成する蓋を係脱着自在に設けるように構成した。
【００１７】
（作用）照射スクリーンの開口部に蓋が係合する状態では、蓋の表面が開口部の周縁部と面一となって滑らかに連続する照射スクリーンを構成して、散乱光測定試験に使用できる。また、照射スクリーンの開口部から蓋を逸脱させ（取り外し）て開口部を開口状態とした場合には、請求項２の作用において示した照度計を用いた灯具の照度測定（灯具の配光測定）を行うことができる。
【００１８】
請求項４においては、請求項１〜３のいずれかに記載の車両用灯具の散乱光検出装置において、前記照射スクリーンを前記灯具の後方にも廻り込むドーム型に形成した。
【００１９】
（作用）ドーム型の照射スクリーンには、灯具の後方に出射する散乱光の配光パターンも形成され、この散乱光の配光パターンから散乱光の方向やそのパターンの大きさを視覚的に認識できるとともに、散乱光の配光パターン位置の鉛直方向角度目盛りおよび水平方向角度目盛りを読み取ることで、散乱光の方向やそのパターンの大きさを正確に求めることもできる。
【００２０】
請求項５においては、請求項１〜３のいずれかに記載の車両用灯具の散乱光検出装置において、前記照射スクリーンを、上方の１/４球面領域に下方の半円筒面領域が連続する形状であって、人が立って中に入れる程度の大きさに形成するとともに、該照射スクリーンの下側縁にキャスターを設けて照射スクリーンを床に沿って移動できるように構成した。
【００２１】
（作用）車両用灯具の光軸位置より下方に出射する散乱光はグレア光とならないので、照射スクリーンの下方領域における下方寄りには鉛直方向の角度目盛りを照射スクリーンの上方領域ほど正確に設ける必要はない。したがって、照射スクリーンの上方領域は、製造コストがかさむものの散乱光の水平方向および鉛直方向の位置を正確に特定できる球面で構成し、照射スクリーンの下方領域は、散乱光の水平方向の位置は正確に特定できるが鉛直方向の位置は概略正確に特定できて製造コストが比較的安価な半円筒面で構成することで、照射スクリーン全体の製造コストを低減できる。
【００２２】
また、照射スクリーンは、大きすぎると暗室内に配置しにくく、角度目盛りも読み取り難いし、逆に小さすぎると作業者が身を屈めた不自由な姿勢を強いられて作業がし難く、測定精度も低い。そして、人が立って中に入れる程度の大きさであれば、暗室内に照射スクリーンを配置する上での困難はなく、測定精度の低下もなく、人が散乱光の配光パターンに相当する角度目盛りを読み取る上でも便利である。さらに、灯具の背後は照射スクリーンに覆われることなく開放されているので、散乱光の配光パターンが映っている照射スクリーン全体をカメラで撮影することもできる。
【００２３】
また、照射スクリーンは、一般的には暗室内に配置されて使用されるが、暗室内には、灯具を支持する回転台，回転台から所定距離（１０ｍ）離間して配置されて灯具の配光パターンを映し出す暗室スクリーン，暗室スクリーンを挟んで回転台と反対側に配置された灯具の配光特性測定用の照度計等が設けられており、灯具を支持する回転台と暗室スクリーン間に照射スクリーンを配置して散乱光測定試験を行うことになるが、暗室スクリーンに灯具本来の配光パターンを映す配光パターン検査の際には、この照射スクリーンを邪魔にならない所定位置まで移動させることができる。
【発明の効果】
【００２４】
請求項１に係る車両用灯具の散乱光検出装置によれば、灯具の上方や側方に出射する散乱光の方向（位置）や大きさを簡単かつ正確に測定できるので、散乱光の発生経路や光度値等の正確なデータを収集することで、散乱光発生の防止対策もとり易い。
【００２５】
請求項２によれば、照射スクリーンを移動させることなく、灯具の配光特性測定を行うことができる。
【００２６】
請求項３によれば、開口部から蓋を逸脱させれば（取り外せば）照度計を用いた灯具の照度測定（灯具の配光測定）を行うことができるとともに、開口部に蓋を係合させれば正確な散乱光測定試験も行うことができる。
【００２７】
請求項４によれば、灯具の後方に出射する散乱光の方向や大きさも簡単かつ正確に測定できるので、散乱光発生の防止対策も一層とり易い。
【００２８】
請求項５によれば、狭い暗室スクリーン内に照射スクリーンを配置しても、照射スクリーンを自由に移動できるので、照射スクリーンが暗室内で行う他の試験の邪魔になることもない。
【００２９】
請求項６に係る車両用灯具の散乱光検出方法によれば、灯具の上方や側方に出射する散乱光の方向（位置）や大きさを簡単かつ正確に測定できるので、散乱光の発生経路や光度値等の正確なデータを収集することで、散乱光発生の防止対策もとり易い。
【発明を実施するための最良の形態】
【００３０】
次に、本発明の実施の形態を実施例に基づいて説明する。
【００３１】
図１〜図６は本発明の一実施例を示し、図１は本発明の第１の実施例である車両用灯具の散乱光検出装置の要部である照射スクリーンの正面図、図２は同スクリーンの水平断面図（図１に示す線ＩＩ−ＩＩに沿う断面図）、図３は同装置全体の斜視図、図４は同装置全体の縦断面図、図５は同装置全体の水平断面図、図６は種々の散乱光の配光パターンが映っている照射スクリーン全体の正面図である。
【００３２】
これらの図において、符号１０は、本発明の第１の実施例である車両用灯具の散乱光検出装置の要部である照射スクリーンを示している。
【００３３】
照射スクリーン１０は、例えば、暗室内に配置されるもので、灯具Ｗから出射する光が照射されてその配光パターンが映し出される高さ２８０ｃｍ，幅３００ｃｍの前面側凹，背面側凸に湾曲するＦＲＰ製の半ドーム型スクリーン本体１１を備え、スクリーン本体１１の背面側は、周方向等間隔に配設された縦リブ１２ａと鉛直方向略等間隔に配設された横リブ１２ｂで構成された補強枠１２で補強されている。スクリーン本体１１は、上方の１/４球面領域１１ａに下方の半円筒面領域１１ｂが連続する１枚の湾曲ボード状に構成されており、凹面である前面側に人が立って入れる程度の大きさに形成されるとともに、照射スクリーン１０（補強枠１２）の円弧状の下側縁部にはキャスター１４が設けられて、床に沿って照射スクリーン１０を移動できるように構成されている。
【００３４】
スクリーン本体１１の上部を構成する１/４球面領域１１ａは、直径３００ｃｍの仮想球体Ａ（図２参照）の表面の１/４で構成され、スクリーン本体１１の下部を構成する半円筒面領域１１ｂは、直径３００ｃｍの円筒面の１/２で構成され、両者１１ａ，１１ｂの付き合わせ部は面一に連続する滑らかな面に形成されている。そして、スクリーン本体１１の前面側（表面側）には、１/４球面領域１１ａを構成する仮想球体Ａの緯度および経度に相当する鉛直方向角度目盛り１３ｖおよび水平方向角度目盛り１３ｈが付されている。なお、本実施例では、スクリーン本体１１の１/４球面領域１１ａと半円筒面領域１１ｂ間の付き合わせ部に沿って水平線Ｈが付され、スクリーン本体１１の左右方向中央位置に垂直線Ｖが付され、両線Ｈ，Ｖの交点から上下左右に１０度間隔に角度目盛りが付けられている。
【００３５】
１/４球面領域１１ａを構成する仮想球体Ａの中心Ｃを通る半円筒面領域１１ｂの中心軸位置には、被検査対象である灯具Ｗを支持する回転台２０が設けられている。回転台２０は、昇降調整用ハンドル２１，左右傾動調整用ハンドル２２，前後傾動調整用ハンドル２３が設けられた従来公知の構造で、照射スクリーン１０に対する所定位置に灯具Ｗを位置決めできるとともに、後述する照度計３０を用いた灯具Ｗの配光特性測定の際には、灯具Ｗの配光特性範囲内で灯具Ｗを移動（水平方向に回動および上下方向に揺動）して、照度計３０によって灯具Ｗの配光特性範囲全域における照度を測定（灯具の配光特性を測定）できるように構成されている。
【００３６】
即ち、照射スクリーン１０の左右方向中央部であって、１/４球面領域１１ａと半円筒面領域１１ｂの付き合わせ部位置には、照度計３０を用いた灯具Ｗの配光特性測定に使用される開口部１６が設けられるとともに、開口部１６には、係合して照射スクリーン１０の一部を構成する蓋１８が係脱着自在に設けられている。開口部１６は、１/４球面領域１１ａ（を構成する仮想球体Ａ）の中心Ｃから鉛直方向に上下１０度×水平方向に左右２０度の大きさに形成されて、１/４球面領域１１ａの中心Ｃに光源がくるように位置決め配置された灯具Ｗに対し、図４，５に示すように、開口部１６を介して１０ｍ離間させて正対配置した照度計３０を用いて灯具Ｗの配光特性測定を行うことができる。
【００３７】
なお、照度計３０を用いた灯具Ｗの配光特性測定は、特許第２８０８２２１号において詳しく説明されている従来技術であり、その詳細な説明については省略する。
【００３８】
また、暗室内における回転台２０の中心軸から２５フィート（７．６２ｍ）離れた位置には、図３，４，５に示すように、灯具Ｗの配光パターンを検査するための矩形状の暗室スクリーン４０が配置されている。暗室スクリーン４０には、垂直線Ｖと水平線Ｈが設けられており、スクリーン４０に映し出された灯具Ｗの配光パターンの形状や配光ムラなどを視覚的に判別する検査を行う。即ち、回転台２０と暗室スクリーン４０間にある照射スクリーン１０を、灯具Ｗの出射光を遮光しない所定位置まで移動して、灯具Ｗの出射光によって所定の配光パターンが暗室スクリーン４０に映し出されるようにすることで、暗室スクリーン４０を用いた灯具Ｗの配光検査等ができる。
【００３９】
なお、照射スクリーン１０下側縁部の左右いずれかの端部と床面間に、照射スクリーン１０を移動する際の固定揺動支点を設けておけば、照射スクリーン１０はこの固定揺動支点を中心に移動することとなって、照射スクリーン１０を回転台２０および暗室スクリーン４０に対し位置決めされた元の位置まで戻す作業が容易である。
【００４０】
また、この暗室スクリーン４０の中央部には、照度計３０を用いた灯具Ｗの配光特性測定に使用される従来公知の開口部４６が設けられており、照射スクリーン１０の開口部１６および暗室スクリーン４０の開口部４６を介して灯具Ｗの配光特性測定が可能である。即ち、照射スクリーン１０を移動させるまでもなく、照度計３０を用いて灯具Ｗの配光特性測定を行うことができる。
【００４１】
また、照射スクリーン１０の開口部１６には、図２に示すように、係合して照射スクリーン１０の一部を構成する蓋１８が係脱着自在に設けられている。即ち、蓋１８は、屈曲アーム１７を介して補強枠１２に連結されており、屈曲アーム１７を背面側から引いたり押したりすることで、屈曲アーム１７（蓋１８）が支点１７ａ周りに屈曲揺動するように構成されており、開口部１６に蓋１８が係合して開口部１６を閉塞する形態と、開口部１６の背面側に蓋１８が移動して開口部１６を開口する形態をとることができる。
【００４２】
次に、照射スクリーン１０を用いたすれ違いビーム形成用ヘッドランプの散乱光検査試験（グレア光評価試験）について説明する。
【００４３】
暗室内には、図３に示すように、回転台２０，照射スクリーン１０、暗室スクリーン４０および照度計３０が所定の間隔で正対するように配置されている。まず、回転台２０に灯具Ｗ（すれ違いビーム形成用ヘッドランプ）を載置し、回転台Ｗに設けられているハンドル２１，２２，２３を使って、灯具Ｗの光源が照射スクリーン１０の中心Ｃにくるように、さらに灯具Ｗの光軸が照射スクリーン１０の水平線Ｈと垂直線Ｖとの交点に一致するように調整（位置決め）する。そして、灯具Ｗを点灯すると、照射スクリーン１０には、図６に示されるように、すれ違いビームの配光パターンＰ０とともに、グレア光などの各種散乱光の配光パターンＰ１，Ｐ２，Ｐ３…も映し出される。
【００４４】
そこで、照射スクリーン１０に映っている各種散乱光の配光パターンＰ１，Ｐ２，Ｐ３…の位置や大きさを、水平角度目盛り１３ｈおよび垂直角度目盛り目盛り１３ｖから読み取ることができるし、灯具Ｗから出射する散乱光の経路をたどることで、散乱光の原因をつき止めることもできる。
【００４５】
さらに、すれ違いビームの配光パターンＰ０とともにグレア光などの各種散乱光の配光パターンＰ１，Ｐ２，Ｐ３…が映し出されている照射スクリーン１０の状態（図６参照）を写真撮影して記録として残すとともに、各種散乱光の位置や大きさを後でさらに詳しく考察することもできる。
【００４６】
図７は、本発明の第２の実施例である車両用灯具の散乱光検出装置の要部である照射スクリーンを示している。
【００４７】
前記した第１の実施例における散乱光検出装置の要部である照射スクリーン１０は、灯具Ｗの背後が開放された半ドーム型に構成されているが、この第２の実施例における照射スクリーン１０Ａ（スクリーン本体１１Ａ）は、灯具Ｗの後方にも廻り込むドーム型に構成されている。
【００４８】
このため、ドーム型の照射スクリーン１０Ａ（スクリーン本体１１Ａ）には、灯具Ｗの後方に出射する全ての散乱光の配光パターンも形成され（映し出され）、これらの散乱光の配光パターンから散乱光の方向（位置）やそのパターンの大きさを視覚的に認識できるとともに、照射スクリーン１０Ａ（スクリーン本体１１Ａ）に設けられている鉛直方向角度目盛りおよび水平方向角度目盛りから、散乱光の方向（位置）やそのパターンの大きさを正確に測定できる。
【００４９】
なお、前記した実施例では、照射スクリーン１０，１０Ａが暗室内に入る大きさに構成されていたが、暗室に入らない大型に構成されていてもよい。
【図面の簡単な説明】
【００５０】
【図１】本発明の第１の実施例である車両用灯具の散乱光検出装置の要部である照射スクリーンの正面図である。
【図２】同スクリーンの水平断面図（図１に示す線ＩＩ−ＩＩに沿う断面図）である。
【図３】同装置全体の斜視図である。
【図４】同装置全体の縦断面図である。
【図５】同装置全体の水平断面図である。
【図６】種々の散乱光の配光パターンが映っている照射スクリーン全体の正面図である。
【図７】本発明の第２の実施例である車両用灯具の散乱光検出装置の要部である照射スクリーンの斜視図である。
【図８】従来の散乱光検出装置の斜視図である。
【符号の説明】
【００５１】
Ｗ  被測定対象である車両用灯具
１０，１０Ａ  照射スクリーン
Ｃ  照射スクリーンの中心
１１，１１Ａ  照射スクリーン本体
１１ａ  １/４球面領域
１１ｂ  半円筒面領域
１３ｖ  鉛直方向角度目盛り
１３ｈ  水平方向角度目盛り
Ｐ０  灯具の配光として有効な所定の配光パターン
Ｐ１，Ｐ２，Ｐ３…  散乱光の配光パターン
１４  キャスター
１６  照射スクリーン中央部の開口部
１８  開口部に設けられた蓋
２０  回転台
３０  照度計
４０  暗室スクリーン
４６  暗室スクリー中央の開口部
【図１】
2006266693.tif 000003
【図２】
2006266693.tif 000004
【図３】
2006266693.tif 000005
【図４】
2006266693.tif 000006
【図５】
2006266693.tif 000007
【図６】
2006266693.tif 000008
【図７】
2006266693.tif 000009
【図８】
2006266693.tif 000010